(57)【要約】      （修正有）【課題】口腔内のように、シャワーヘッドの配置領域が狭い場所であっても、洗浄機能を損なうことのないシャワーヘッド及びこのシャワーヘッドを備えるシャワー装置を提供する。【解決手段】シャワーヘッド１０は、内部に通水路が形成され、一端がシャワーホース４００と接続する基部１００と、前記基部１００の他端に取り付けられると共に、複数の散水孔２１０が設けられるノズル部２００とを含み、前記基部１００は、一端側の直径が他端側のそれと比べて細くなるよう成形されることを特徴とする。【選択図】図２
0003184107.tif 000002
【実用新案登録請求の範囲】
【請求項１】
内部に通水路が形成され、一端がシャワーホースと接続する基部と、
前記基部の他端に取り付けられると共に、複数の散水孔が設けられるノズル部とを含み、
前記基部は、一端側の直径が他端側のそれと比べて細くなるよう成形されるシャワーヘッド。
【請求項２】
前記基部の一端側の直径が、１ｃｍ〜２ｃｍである請求項１に記載のシャワーヘッド。
【請求項３】
前記基部は、長さ方向に伸縮可能である請求項１又は２に記載のシャワーヘッド。
【請求項４】
前記基部は、前記ノズル部から噴射される水の流量を制御する流量制御手段を備える請求項１から３のいずれか一項に記載のシャワーヘッド。
【請求項５】
前記流量制御手段が、前記基部の内壁材料に用いられる弾性体である請求項４に記載のシャワーヘッド。
【請求項６】
請求項１から５のいずれか一項に記載のシャワーヘッドを備えるシャワー装置。
【考案の詳細な説明】
【技術分野】
【０００１】
本考案は、シャワーヘッド及びこのシャワーヘッドを備えるシャワー装置に関する。
【背景技術】
【０００２】
従来から、シャワー装置に取り付けられるシャワーヘッドとして、洗浄機能の向上や、節水効果を目的とした様々な構造のものが開発されている。また、そのようなシャワーヘッドを備えるシャワー装置が、一般家庭の浴室、台所、洗面室などに設けられている。
【０００３】
ただし、一般家庭で用いられるシャワーヘッドは、身体や手を洗う場合のように、散水範囲の比較的広い状況を想定して作られたものが多い。そのため、使用者の身体の一部（例えば、口腔内、顔面、頭皮など）を局所的に洗浄したい場合、シャワーヘッドの大きさや形状が、洗浄箇所と適合せず、洗浄機能が損なわれるおそれがある。
【０００４】
このようなシャワーヘッドに関し、上記のような要望に応えるためのものとして、特許文献１に記載の技術が開示されている。特許文献１に記載の技術は、体などを洗浄するための通常のシャワーノズルを備えるシャワーヘッドの先端に、口腔内のマッサージや洗浄用の小径ノズルが設けられ、切替えレバーによって、水の流路を前記通常のシャワーノズル又は小径ノズルに切り替えるシャワーヘッドに関する。
【先行技術文献】
【特許文献】
【０００５】
【特許文献１】特開２０００−３４２４７７号公報
【考案の概要】
【考案が解決しようとする課題】
【０００６】
しかしながら、上記特許文献１に記載の技術は、小径ノズルの他に、通常のシャワーノズルを備えており、例えば、口腔内の洗浄に用いる場合など、狭い領域にシャワーヘッドを挿入する必要がある用途には使用し難い。また、切替えレバーや、小径ノズルへの流路などを設けている点で、内部構造が複雑で製造面でコストが掛かるという課題を有する。
【０００７】
上記課題に鑑み、本考案は、内部構造を簡素化し製造コストを削減可能であると共に、口腔内のように、使用時のシャワーヘッドの配置領域が狭い場所であっても、洗浄機能を損なうことのないシャワーヘッド及びこのシャワーヘッドを備えるシャワー装置を提供することを目的とする。
【課題を解決するための手段】
【０００８】
前記課題を解決するための本考案に係るシャワーヘッドは、
内部に通水路が形成され、一端がシャワーホースと接続する基部と、
前記基部の他端に取り付けられると共に、複数の散水孔が設けられるノズル部とを含み、
前記基部は、一端側の直径が他端側のそれと比べて細くなるよう成形されることを特徴とする。
【０００９】
また、前記シャワーヘッドは、前記基部の一端側の直径が、１ｃｍ〜２ｃｍであることが好ましい。さらに、前記基部は、長さ方向に伸縮可能であることが好ましく、前記ノズル部から噴射される水の流量を制御する流量制御手段を備えることが好ましい。
【００１０】
さらに、前記課題を解決するための本考案に係るシャワー装置は、前記シャワーヘッドを備えることを特徴とする。
【考案の効果】
【００１１】
本考案によれば、内部構造を簡素化し製造コストを削減可能であると共に、口腔内のように、使用時のシャワーヘッドの配置領域が狭い場所であっても、洗浄機能を損なうことのないシャワーヘッド及びこのシャワーヘッドを備えるシャワー装置を提供することができる。
【図面の簡単な説明】
【００１２】
【図１】本考案に係るシャワー装置の全体ブロック図。
【図２】本実施形態に係るシャワーヘッドの斜視図。
【図３】本実施形態に係るシャワーヘッドの正面図及び側面図。
【図４】図３に示すＡ−Ａ線により得られる本実施形態の断面図。
【図５】流量制御手段を備える本実施形態の斜視図。
【図６】本実施形態に係るシャワーヘッドの垂直断面図。
【考案を実施するための形態】
【００１３】
以下、図面を参照して本考案の望ましい実施形態を詳細に説明する。但し、本考案は多くの異なる態様で実施することが可能であり、以下に示す実施の形態の記載内容に限定して解釈されるものではない。
【００１４】
図１に本考案に係るシャワー装置１の構成概略を示す。シャワー装置１は、下記にて詳述するシャワーヘッド１０と、水道と接続してシャワーヘッド１０に流水を供給する給水部２０と、一方が給水部２０に、他方がシャワーヘッド１０に接続する給水弁３０と、給水弁３０等に作用し、流水の流量や温度を操作する操作部４０とを含む構成である。
【００１５】
次に、図２から図４を参照して、本考案のシャワーヘッド１０に係る実施形態について詳細に説明する。図２は、本実施形態に係るシャワーヘッド１０の斜視図であり、図３は、本実施形態に係るシャワーヘッド１０の正面図及び側面図であり、図４は、図３に示すＡ−Ａ線により得られるシャワーヘッド１０の断面図である。
【００１６】
まず、図２を用いて本実施形態に係るシャワーヘッド１０の全体構成を説明する。シャワーヘッド１０は、基部１００、ノズル部２００等を含む構成である。基部１００は、一端１００Ａにおいてノズル部２００と接続する一方で、他端１００Ｂにおいてシャワーホース４００と接続する。また、図４に示すように、基部１００及びノズル部２００の内部には、通水路３００が形成される。なお、シャワーホース４００は、上述の給水弁３０と接続する。
【００１７】
図２、図３等で示すように、基部１００は、一端１００Ａ側の直径が、他端１００Ｂ側の直径と比べて細くなるよう成形されている。ここで、一端１００Ａ側の直径は、１ｃｍから２ｃｍであることが好ましい。このような径とすることで、相応の耐久性を維持しつつ、口腔内のような狭い領域にシャワーヘッド１００を挿入することができ、十分な洗浄機能を確保することができる。
【００１８】
本実施形態では、基部１００は、使用者の手が添えられる胴部１２０と、この胴部１２０に連結され、長さ方向に沿って延びる細長の延出首部１３０とを含む構成としている。ここで、延出首部１３０は、胴部１２０と比べて細く成形されることが好ましい。このような、延出首部１３０を設けることで、狭い領域にも容易にノズル部２００を配置させることができる。
【００１９】
また、延出首部１３０は、長さ方向に沿って伸縮可能に設けられていてもよい。これにより、ノズル部２００の位置を洗浄箇所に適宜合せて調整することができ、使用者の洗浄作業の負担を軽減させることが可能となる。
【００２０】
ただし、基部１００は、別々の部材である胴部１２０と延出首部１３０とを連結させる構成ではなく、すべてが一体的に成形されるような形態であってもよい。このとき、基部１００の形状として、一端１００Ａ側から他端１００Ｂ側向かうに従い、なだらかに直径が太くなるようなものが考えられるが、これに限定されるものではない。
【００２１】
ノズル部２００は、通水路３００を通って流れ込む水を噴射するための部材であり、複数の散水孔２１０を備えた散水部２２０を有する構成である。ノズル部２００は、上述のように、基部１００の一端１００Ａ（または、延出首部１３０）と接続する。
【００２２】
シャワーヘッド１０は、上述のような構成であるが、基部１００の一端側１００Ａの直径が極めて細い（すなわち、当該箇所の通水路３００の直径も極めて細い）ため、流量を少し増やすだけで、ノズル部２００から噴射される水の流速が大きく変化する。そのため、水が噴射された箇所に大きな圧力が加わる。そこで、ノズル部２００から噴射される水の流量を制御するための手段（以下、「流量制御手段」）を、基部１００が備えることが好ましい。流量制御手段としては、例えば、図５及び図６に示すような形態が考えられる。
【００２３】
図５は、弁１４０を用いた流量制御手段の詳細を示す。図５（ａ）に示すように、弁１４０は、通水路３００に対して略垂直に設置される弁基部１４１と、流量を制御するための摘み部１４２と、摘み部１４２と連結すると共に、弁基部１４１内に挿入されるシャフト１４３とを含む。摘み部１４２を回転させることで、弁基部１４１内のシャフト１４３が、幅方向に沿って移動し流量を調整する。
【００２４】
また、弁１４０の他の形態としては、図５（ｂ）に示すように、通水路３００に配置される蓋部１４４と、摘み部１４２と、蓋部１４４及び摘み部１４２の双方と連結する軸部１４５とを含む構成も考えられる。
【００２５】
この場合、初期状態では、蓋部１４４が、通水路３００に対して略垂直な状態となる。そのため、通水路３００の流路が塞がれる。一方で、摘み部１４２を回転させると、連結する軸部１４５及び蓋部１４４が回転し、それまで蓋部１４４によって塞がれていた通水路３００の流路が徐々に開く。これによって、流量が調節できる。
【００２６】
また、図６を用いて、他の流量制御手段について説明する。図６は、基部１００の内部を示す、シャワーヘッド１０の垂直断面図である。ここで、上述の他の流量制御手段として、基部１００の内壁１５０に係る材料に、ゴムや樹脂など所定の弾性係数を有する弾性体を用いる。通水路３００を通過する流量を増加させる場合、流水から内壁１５０へ加えられる圧力も増加する。このとき内壁１５０の材料を弾性体とすることで、内壁１５０に加わる圧力を利用して通水路３００の幅を拡張させることができる。
【００２７】
これにより、通水路３００内における流路断面積Ｓが増え、ノズル部２００から噴射される流水の速度を緩やかに変化させることが可能となる。それにより、通水路３００内を流れる水の流量を変化させた際に、人体などに高い圧力の水が噴射されるなどの事態を防ぐことができる。なお、通水路３００の幅の拡張は、流量の増加による内壁１５０へ加えられる圧力と弾性体からの付勢力とが釣り合うまで続く。
【００２８】
本考案に係るシャワーヘッドは、上述した口腔内などの狭い領域を洗浄する場合に適合する他、全体寸法が小型化されているため、散水範囲を局所化することができる。そのため、例えば、衣服に付着した食べ物による汚れなどの洗浄を行う際も、洗浄機能を損なうことなく、作業負担を軽減させることが可能である。
【符号の説明】
【００２９】
１          シャワー装置
１０        シャワーヘッド
１００      基部
１２０      胴部
１３０      延出首部
１４０      弁（流量制御手段）
１５０      内壁
２００      ノズル部
２１０      散水孔
２２０      散水部
３００      通水路
【図１】
0003184107.tif 000003
【図２】
0003184107.tif 000004
【図３】
0003184107.tif 000005
【図４】
0003184107.tif 000006
【図５】
0003184107.tif 000007
【図６】
0003184107.tif 000008